(57)【特許請求の範囲】
【請求項１】
近距離通信（ＮＦＣ）の方法であって、
ＮＦＣコントローラにおいて、デバイスホストからＮＦＣコントローラ・インターフェース（ＮＣＩ）インジケーションを受信することと、ここにおいて、前記ＮＣＩインジケーションは、前記デバイスホストのスクリーン状態を特定する、
前記ＮＣＩインジケーションに基づいて、前記ＮＦＣコントローラにおいて１つまたは複数のＮＦＣモードを調整することと、
を備え、
ここにおいて、前記受信することおよび前記調整することが、無線周波数発見状態を維持しつつ実行され、前記１つまたは複数のＮＦＣモードを調整することが、前記スクリーン状態に基づいて、ピア・ツー・ピアモード、カードエミュレーションモード、およびタグ読出／書込から成るグループからの、前のスクリーン状態に対応する第１のＮＦＣモードから、前記ピア・ツー・ピアモード、前記カードエミュレーションモード、および前記タグ読出／書込モードから成る前記グループから選択される、前記第１のＮＦＣモードとは異なる、前記スクリーン状態に対応する第２のＮＦＣモードへと、切り替えることを備え、
前記ＮＦＣコントローラにおいて前記１つまたは複数のＮＦＣモードを調整することが、前記無線周波数発見状態を維持しつつ、無線周波数アイドル状態へと遷移することなく、前記ＮＦＣコントローラにおいて前記１つまたは複数のＮＦＣモードを調整することをさらに備える、
方法。
【請求項２】
前記１つまたは複数のＮＦＣモードを調整することが、前記スクリーン状態に基づいて、ピア・ツー・ピアモード、カードエミュレーションモード、およびタグ読出／書込モードのうちの１つまたは複数に調整することを含む、請求項１に記載の方法。
【請求項３】
前記スクリーン状態は、スクリーンＯＮ状態、スクリーンＯＦＦ状態、およびスクリーン状態ＬＯＣＫのうちの１つを示す、請求項１に記載の方法。
【請求項４】
１つまたは複数のＮＦＣモードを調整することが、前記スクリーン状態ＯＮに対応するリスニング状態およびポーリング状態に調整することを含み、前記ポーリング状態が、ピア・ツー・ピアモードおよびタグ読出／書込モードのうちの一方または両方を含む、請求項３に記載の方法。
【請求項５】
１つまたは複数のＮＦＣモードを調整することが、前記スクリーン状態ＯＦＦおよび前記スクリーン状態ＬＯＣＫに対応するリスニング状態に調整することを含み、前記リスニング状態が、カードエミュレーションモードを含む、請求項３に記載の方法。
【請求項６】
前記１つまたは複数のＮＦＣモードが、ポーリング状態またはリスニング状態のうちの少なくとも一方または両方を含む無線周波数通信状態に対応し、前記１つまたは複数のＮＦＣモードを調整することが、前記無線周波数通信状態を調整することを含む、請求項１に記載の方法。
【請求項７】
前記スクリーン状態が、前記デバイスホストの前のスクリーン状態とは異なる、請求項１に記載の方法。
【請求項８】
前記ＮＣＩインジケーションが、前記ＮＦＣコントローラによる前記１つまたは複数のＮＦＣモードの前記調整をトリガする、請求項１に記載の方法。
【請求項９】
近距離通信（ＮＦＣ）のための装置であって、
ＮＦＣコントローラにおいて、デバイスホストからＮＦＣコントローラ・インターフェース（ＮＣＩ）インジケーションを受信するための手段と、ここにおいて、前記ＮＣＩインジケーションは、前記デバイスホストのスクリーン状態を特定する、
前記ＮＣＩインジケーションに基づいて、前記ＮＦＣコントローラにおいて１つまたは複数のＮＦＣモードを調整するための手段と
を備え、
ここにおいて、受信するための前記手段および調整するための前記手段が、無線周波数発見状態を維持しつつ実行され、前記１つまたは複数のＮＦＣモードを調整するための前記手段が、前記スクリーン状態に基づいて、ピア・ツー・ピアモード、カードエミュレーションモード、およびタグ読出／書込モードから成るグループから選択される、前のスクリーン状態に対応する第１のＮＦＣモードから、前記ピア・ツー・ピアモード、前記カードエミュレーションモード、および前記タグ読出／書込モードから成る前記グループから選択される、前記第１のＮＦＣモードとは異なる、前記スクリーン状態に対応する第２のＮＦＣモードへと、切り替えるための手段を備え、
前記ＮＦＣコントローラにおいて前記１つまたは複数のＮＦＣモードを調整するための前記手段が、前記無線周波数発見状態を維持しつつ、無線周波数アイドル状態へと遷移することなく、前記ＮＦＣコントローラにおいて前記１つまたは複数のＮＦＣモードを調整するための手段をさらに備える、
装置。
【請求項１０】
前記１つまたは複数のＮＦＣモードを調整するための手段が、前記スクリーン状態に基づいて、ピア・ツー・ピアモード、カードエミュレーションモード、またはタグ読出／書込モードのうちの１つまたは複数に調整するための手段を含む、請求項９に記載の装置。
【請求項１１】
前記スクリーン状態が、スクリーンＯＮ状態、スクリーンＯＦＦ状態、またはスクリーン状態ＬＯＣＫのうちの１つを示す、請求項９に記載の装置。
【請求項１２】
１つまたは複数のＮＦＣモードを調整するための手段が、前記スクリーン状態ＯＮに対応するリスニング状態およびポーリング状態に調整するための手段、ここにおいて、前記ポーリング状態が、ピア・ツー・ピアモードおよびタグ読出／書込モードのうちの一方または両方を含む、および、前記スクリーン状態ＯＦＦおよび前記スクリーン状態ＬＯＣＫに対応するリスニング状態に調整するための手段、ここにおいて、前記リスニング状態が、カードエミュレーションモードを含む、のうちの少なくとも一方または両方を含む、請求項１１に記載の装置。
【請求項１３】
前記１つまたは複数のＮＦＣモードが、ポーリング状態またはリスニング状態のうちの少なくとも一方または両方を含む無線周波数通信状態に対応し、
前記１つまたは複数のＮＦＣモードを調整するための手段が、前記無線周波数通信状態を調整するための手段を含む、請求項９に記載の装置。
【請求項１４】
近距離通信（ＮＦＣ）のためのコンピュータ実行可能コードを格納する非一時的コンピュータ可読媒体であって、
ＮＦＣコントローラにおいて、デバイスホストからＮＦＣコントローラ・インターフェース（ＮＣＩ）インジケーションを受信するために実行可能なコードと、ここにおいて、前記ＮＣＩインジケーションは、前記デバイスホストのスクリーン状態を特定する、
前記ＮＣＩインジケーションに基づいて、前記ＮＦＣコントローラにおいて１つまたは複数のＮＦＣモードを調整するために実行可能なコードと
を備え、
ここにおいて、受信するために実行可能な前記コードおよび調整するために実行可能な前記コードが、無線周波数発見状態を維持しつつ実行され、前記１つまたは複数のＮＦＣモードを調整するために実行可能な前記コードが、前記スクリーン状態に基づいて、ピア・ツー・ピアモード、カードエミュレーションモード、およびタグ読出／書込モードから成るグループから選択される、前のスクリーン状態に対応する第１のＮＦＣモードから、前記ピア・ツー・ピアモード、前記カードエミュレーションモード、および前記タグ読出／書込モードから成る前記グループから選択される、前記第１のＮＦＣモードとは異なる、前記スクリーン状態に対応する第２のＮＦＣモードへと、切り替えるために実行可能なコードを備え、
前記ＮＦＣコントローラにおいて前記１つまたは複数のＮＦＣモードを調整するための前記コードが、前記無線周波数発見状態を維持しつつ、無線周波数アイドル状態へと遷移することなく、前記ＮＦＣコントローラにおいて前記１つまたは複数のＮＦＣモードを調整するためのコードをさらに備える、
非一時的コンピュータ可読媒体。
【請求項１５】
前記１つまたは複数のＮＦＣモードを調整するために実行可能な前記コードが、前記スクリーン状態に基づいて、ピア・ツー・ピアモード、カードエミュレーションモード、またはタグ読出／書込モードのうちの１つまたは複数に調整するために実行可能なコードを含む、請求項１４に記載の非一時的コンピュータ可読媒体。
【請求項１６】
前記スクリーン状態が、スクリーンＯＮ状態、スクリーンＯＦＦ状態、またはスクリーン状態ＬＯＣＫのうちの１つを示す、請求項１４に記載の非一時的コンピュータ可読媒体。
【請求項１７】
１つまたは複数のＮＦＣモードを調整するために実行可能な前記コードが、前記スクリーン状態ＯＮに対応するリスニング状態およびポーリング状態に調整するために実行可能なコード、ここにおいて、前記ポーリング状態が、ピア・ツー・ピアモードおよびタグ読出／書込モードのうちの一方または両方を含む、および、前記スクリーン状態ＯＦＦおよび前記スクリーン状態ＬＯＣＫに対応するリスニング状態に調整するために実行可能なコード、ここにおいて、前記リスニング状態が、カードエミュレーションモードを含む、のうちの少なくとも一方または両方を含む、請求項１６に記載の非一時的コンピュータ可読媒体。
【請求項１８】
前記１つまたは複数のＮＦＣモードが、ポーリング状態またはリスニング状態のうちの少なくとも一方または両方を含む無線周波数通信状態に対応し、
前記１つまたは複数のＮＦＣモードを調整するために実行可能な前記コードが、前記無線周波数通信状態を調整するために実行可能なコードを含む、請求項１４に記載の非一時的コンピュータ可読媒体。
【請求項１９】
近距離通信（ＮＦＣ）のための装置であって、
デバイスホストからＮＦＣコントローラ・インターフェース（ＮＣＩ）インジケーションを受信することと、ここにおいて、前記ＮＣＩインジケーションは、前記デバイスホストのスクリーン状態を特定する、
前記ＮＣＩインジケーションに基づいて、ＮＦＣコントローラにおいて１つまたは複数のＮＦＣモードを調整することと
を行うように構成された前記ＮＦＣコントローラ
を備え、
ここにおいて、前記ＮＦＣコントローラが、無線周波数発見状態を維持しつつ、前記ＮＣＩインジケーションを受信するおよび前記１つまたは複数のＮＦＣモードを調整するようにさらに構成され、ＮＦＣコントローラが、前記スクリーン状態に基づいて、ピア・ツー・ピアモード、カードエミュレーションモード、およびタグ読出／書込モードから成るグループから選択される、前のスクリーン状態に対応する第１のＮＦＣモードから、前記ピア・ツー・ピアモード、前記カードエミュレーションモード、および前記タグ読出／書込モードから成る前記グループから選択される、前記第１のＮＦＣモードとは異なる、前記スクリーン状態に対応する第２のＮＦＣモードへと、切り替えるようにさらに構成され、
前記１つまたは複数のＮＦＣモードを調整するように構成される前記ＮＦＣコントローラが、前記無線周波数発見状態を維持しつつ、無線周波数アイドル状態へと遷移することなく、前記ＮＦＣコントローラにおいて前記１つまたは複数のＮＦＣモードを調整するようにさらに構成される、
装置。
【請求項２０】
前記ＮＦＣコントローラが、前記スクリーン状態に基づいて、ピア・ツー・ピアモード、カードエミュレーションモード、またはタグ読出／書込モードのうちの１つまたは複数に調整することによって、前記１つまたは複数のＮＦＣモードを調整するようにさらに構成される、請求項１９に記載の装置。
【請求項２１】
前記スクリーン状態が、スクリーンＯＮ状態、スクリーンＯＦＦ状態、またはスクリーン状態ＬＯＣＫのうちの１つを示す、請求項１９に記載の装置。
【請求項２２】
前記ＮＦＣコントローラが、前記スクリーン状態ＯＮに対応するリスニング状態およびポーリング状態に調整することによって、１つまたは複数のＮＦＣモードを調整するようにさらに構成され、前記ポーリング状態が、ピア・ツー・ピアモードおよびタグ読出／書込モードのうちの一方または両方を含む、請求項２１に記載の装置。
【請求項２３】
前記ＮＦＣコントローラが、前記スクリーン状態ＯＦＦおよび前記スクリーン状態ＬＯＣＫに対応するリスニング状態に調整することによって、１つまたは複数のＮＦＣモードを調整するようにさらに構成され、前記リスニング状態が、カードエミュレーションモードを含む、請求項２１に記載の装置。
【請求項２４】
前記１つまたは複数のＮＦＣモードが、ポーリング状態またはリスニング状態のうちの少なくとも一方または両方を含む無線周波数通信状態に対応し、
前記ＮＦＣコントローラが、前記無線周波数通信状態を調整することによって、前記１つまたは複数のＮＦＣモードを調整するようにさらに構成される、請求項１９に記載の装置。
【請求項２５】
前記スクリーン状態が、前記デバイスホストの前のスクリーン状態とは異なる、請求項１９に記載の装置。
【請求項２６】
前記ＮＣＩインジケーションが、前記ＮＦＣコントローラによる前記１つまたは複数のＮＦＣモードの前記調整をトリガする、請求項１９に記載の装置。
【発明の詳細な説明】
【優先権の主張】
【０００１】
[0001]本願は、２０１４年１２月１９日に出願された「NEAR FIELD COMMUNICATION MODE ADJUSTMENT BASED ON A SCREEN STATE」と題する非仮特許出願第１４／５７７，４９３号と、２０１４年８月１１日に出願された「NEAR FIELD COMMUNICATION MODE ADJUSTMENT BASED ON A SCREEN STATE」と題する仮特許出願第６２／０３５，７６７号とに対する優先権を主張し、これらは、その譲受人に譲渡され、これによって、参照により本明細書に明確に組み込まれる。
【背景技術】
【０００２】
[0002]開示される態様は一般に、デバイス間のおよび／またはデバイス内の通信に関し、具体的には、近距離通信モード調整（near field communication mode adjustments）を改善することに関する。
【０００３】
[0003]技術の進歩は、より小型でよりパワフルなパーソナル・コンピューティング・デバイスをもたらした。例えば、各々が小型で、軽量で、かつユーザが容易に持ち運ぶことができるポータブルワイヤレス電話、携帯情報端末（ＰＤＡ）、およびページングデバイスのようなワイヤレス・コンピューティング・デバイスを含む様々なポータブル・パーソナル・コンピューティング・デバイスが現在存在している。より具体的には、例えば、ポータブルワイヤレス電話は、ワイヤレスネットワークを通して音声およびデータパケットを通信するセルラ電話をさらに含む。多くのこのようなセルラ電話は、かつてないほど多いコンピューティング能力で製造され、そのため、小型のパーソナル・コンピュータおよびハンドヘルドＰＤＡと同等になりつつある。さらに、このようなデバイスは、セルラ通信、ワイヤレス・ローカルエリア・ネットワーク（ＷＬＡＮ）通信、近距離通信（ＮＦＣ：near field communication）、等の、様々な周波数および適用可能なカバレッジエリアを使用した通信を可能にしている。
【０００４】
[0004]いくつかのＮＦＣデバイスでは、特に、ＮＦＣモード調整に関する通信リソースの効果的でない（ineffective）および／または非効率的な動作または利用は、ＮＦＣデバイスと、それと通信状態にあるデバイスとの間の通信の劣化につながり得る。さらには、前述の効果的でないおよび／または非効率的な動作は、ＮＦＣデバイスが備わったユーザ機器が、より高い通信品質を達成することを妨げ得る。ゆえに、ＮＦＣモード調整の改善が望まれ得る。
【発明の概要】
【０００５】
[0005]以下は、１つまたは複数の態様の基本的な理解を提供するために、そのような態様の概要を提示する。この概要は、企図されるすべての態様の広範な概観ではなく、すべての態様の主要または重要な要素を識別することも、任意またはすべての態様の範囲を定めることも意図しない。その目的は、後に提示されるより詳細な説明への前置きとして、１つまたは複数の態様の形式のいくつかの概念を提示することである。
【０００６】
[0006]ある態様では、近距離通信（ＮＦＣ）の方法は、スクリーン状態インジケーション（screen state indication）に基づいてＮＦＣモードを調整することに関する。方法は、ＮＦＣコントローラにおいて、デバイスホストからＮＦＣコントローラ・インターフェース（ＮＣＩ）インジケーションを受信することと、ここにおいて、ＮＣＩインジケーションは、デバイスホストのスクリーン状態を特定する、および、ＮＣＩインジケーションに基づいて、ＮＦＣコントローラにおいて１つまたは複数のＮＦＣモードを調整することとを含む。
【０００７】
[0007]別の態様では、近距離通信（ＮＦＣ）のためのコンピュータ実行可能コードを格納したコンピュータ可読媒体は、スクリーン状態インジケーショに基づいてＮＦＣモードを調整することに関する。コンピュータ可読媒体は、ＮＦＣコントローラにおいて、デバイスホストからＮＦＣコントローラ・インターフェース（ＮＣＩ）インジケーションを受信するために実行可能なコードと、ここにおいて、ＮＣＩインジケーションは、デバイスホストのスクリーン状態を特定する、および、ＮＣＩインジケーションに基づいて、ＮＦＣコントローラにおいて１つまたは複数のＮＦＣモードを調整するために実行可能なコードとを含む。
【０００８】
[0008]さらなる態様では、近距離通信（ＮＦＣ）のための装置は、スクリーン状態インジケーションに基づいてＮＦＣモードを調整することに関する。装置は、ＮＦＣコントローラにおいて、デバイスホストからＮＦＣコントローラ・インターフェース（ＮＣＩ）インジケーションを受信するための手段と、ここにおいて、ＮＣＩインジケーションは、デバイスホストのスクリーン状態を特定する、および、ＮＣＩインジケーションに基づいて、ＮＦＣコントローラにおいて１つまたは複数のＮＦＣモードを調整するための手段とを含む。
【０００９】
[0009]さらに別の態様では、装置は、スクリーン状態インジケーションに基づいてＮＦＣモードを調整することに関する。装置は、デバイスホストからＮＦＣコントローラ・インターフェース（ＮＣＩ）インジケーションを受信するように構成され、ここにおいて、ＮＣＩインジケーションは、デバイスホストのスクリーン状態を特定する、および、ＮＣＩインジケーションに基づいて、ＮＦＣコントローラにおいて１つまたは複数のＮＦＣモードを調整するように構成されたＮＦＣコントローラを含む。
【００１０】
[0010]前述した目的および関連する目的を達成するために、１つまたは複数の態様は、以下に十分に説明され、特許請求の範囲において具体的に示される特徴を備える。以下の説明および添付の図面は、１つまたは複数の態様の実例となる特定の特徴を詳細に示す。しかしながら、これらの特徴は、様々な態様の原理が用いられ得る様々な方法のうちのほんの一部を示し、この説明は、すべてのこのような態様およびそれらの等価物を含むことが意図される。
【００１１】
[0011]本開示のより完全な理解を容易にするために、同様の要素が同様の番号で参照され、点線がオプションの構成要素またはアクションを示し得る添付の図面がここから参照される。これらの図面は本開示を限定するものと解釈されるべきではなく、実例であることのみが意図される。
【図面の簡単な説明】
【００１２】
【図１】[0012]図１は、本開示の態様に係る、ワイヤレス通信システムのブロック図である。
【図２】[0013]図２は、本開示の態様に係る、ワイヤレス通信システムの概略図である。
【図３】[0014]図３は、本開示の態様に係る、ＮＦＣ環境のブロック図である。
【図４】[0015]図４は、本開示の態様に係る、ＮＦＣモードチャートの概念図である。
【図５】[0016]図５は、スクリーン状態インジケーションに基づいてＮＦＣモードを調整することの態様を説明するフローチャートである。
【図６Ａ】[0017]図６Ａは、先行技術の開示の態様に係る、ＮＦＣモードシグナリングの概念図である。
【図６Ｂ】[0018]図６Ｂは、本開示の態様に係る、ＮＦＣモードシグナリングの概念図である。
【図７】[0019]図７は、本開示の態様に係る、別のＮＦＣ環境のブロック図である。
【図８】[0020]図８は、本開示の態様に係る、通信デバイスの例となるアーキテクチャの機能ブロック図である。
【詳細な説明】
【００１３】
[0021]添付の図面に関連して以下に示される詳細な説明は、様々な構成の説明を意図としており、本明細書で説明される概念が実施され得る唯一の構成を表すことを意図したものではない。詳細な説明は、様々な概念の完全な理解を提供するために特定の詳細を含む。しかしながら、これらの概念がこれらの特定の詳細なしに実施され得ることは当業者には明らかであろう。いくつかの事例では、そのような概念をあいまいにしないために、周知の構成要素がブロック図の形式で示される。ある態様では、本明細書で使用される場合、「構成要素」という用語は、システムを構成するパーツのうちの１つであり得、ハードウェアまたはソフトウェアであり得、他の構成要素へと分割され得る。
【００１４】
[0022]本態様は一般に、スクリーン状態を特定するインジケーションに基づいて、ＮＦＣデバイスの１つまたは複数のＮＦＣモードを調整することに関する。具体的には、ＮＦＣデバイスは、１つまたは複数のＮＦＣモードにしたがって動作し得る。ＮＦＣデバイスは、リーダ／ライタモード（reader/writer mode）、ピア・ツー・ピアモード（peer-to-peer mode）、およびカードエミュレーションモード（card emulation mode）で動作し得る。リーダ／ライタモードでは、ＮＦＣデバイスは、受動トランスポンダ／タグ（passive transponder/tag）に電力を供給する電磁場（electromagnetic field）を放射する。このモードで動作すると、ＮＦＣデバイスは、ＮＦＣに準拠した受動（例えば、バッテリのない）トランスポンダ／タグに格納されているデータを読み出し、変更し得る。そのようなタグは、ＮＦＣデバイスを用いてタグを読み出すことによる追加の情報の検索を許可し得る。ピア・ツー・ピアモード（例えば、ＩＳＯ１８０９２）は、２つのＮＦＣデバイスが、データを交換するために双方向接続を確立することを許可し得る。カードエミュレーションモードでは、ＮＦＣデバイスは、スマートカードとして機能し得るかそれと類似した機能を実行し得る（例えば、ＩＳＯ１４４４３）。次に、エミュレートされたスマートカードは、ＮＦＣのＰＯＳ（point-of-sale）端末のような、しかし、これに限られない、外部のＮＦＣリーダによってアクセスされ得る。
【００１５】
[0023]具体的には、ある態様では、ＮＦＣデバイスは、２つの例となるモードとして、カードエミュレーションモードおよびピア・ツー・ピアモードを含み得る。ピア・ツー・ピアモードは、デバイスホストが存在するときに実装され得る。さらに、カードエミュレーションモードは、デバイスホストが存在する場合でも存在しない場合でも実装され得るが、それは、ＮＦＣデバイスのＮＦＣコントローラに接続されたセキュアエレメント（secure element）と連動し得る。ある態様では、例えば、セキュアエレメントは、ユニバーサル集積回路カード（ＵＩＣＣ：universal integrated circuit card）または埋め込み式セキュアエレメントを含み得るかそうでなければその形式をとり得るが、これらに限定されるわけではない。
【００１６】
[0024]ＮＦＣデバイスが、ユーザ機器（例えば、モバイルデバイス）と一体化されるかそうでなければその一部として含まれる態様では、ピア・ツー・ピアモードは、デバイスホストが存在しないときまたは動作中でないとき、利用可能ではないだろう。例えば、ある態様では、デバイスホストは、（例えば、別名、スクリーンＯＦＦ状態と呼ばれる）アクティブでも利用可能でもないであろう、ユーザ機器のユーザインターフェース（例えば、ディスプレイまたはスクリーンまたはディスプレイスクリーン）を含み得る。スクリーン状態を変化させるとき（例えば、スクリーンＯＮ状態をスクリーンＯＦＦ状態に／から（screen ON state to/from screen OFF state））、ピア・ツー・ピアモードは、それぞれ、イネーブルまたはディセーブルにされ得る。このように、デバイスホストは、スクリーン状態の各変化を、例えば、ＮＦＣコントローラ・インターフェースを介してＮＦＣコントローラに知らせ得る。
【００１７】
[0025]ＮＦＣコントローラ・インターフェースは、スクリーン状態の変化に対応するある数（a number）のまたは一連のインジケーション／コマンドを提供するかそうでなければそれを通信することによって、スクリーン状態の変化をサポートし得る。例えば、デバイスホストは、ＲＦ＿ＤＥＡＣＴＩＶＡＴＥ＿ＣＯＭＭＡＮＤに続いて、（例えば、新しい発見パラメータ（new discovery parameters）を有する）ＲＦ＿ＤＩＳＣＯＶＥＲ＿ＣＭＤおよび（例えば、新しい無線周波数構成レジストリ（new radio frequency configuration registries）を有する）ＣＯＲＥ＿ＳＥＴ＿ＣＯＮＦＩＧ＿ＣＭＤを送り得る。このように、ＮＦＣデバイスを含むユーザ機器（例えば、モバイルデバイス）では、ユーザ機器のスクリーンが、ＯＮ／ＯＦＦから変化する度に、前述の非アクティブ化、発見、およびセッティング構成コマンド／インジケーションが、ＮＦＣコントローラに送られ得、それは、リスニングおよび／またはポーリングを中断させるか、遅延させるか、そうでなければＮＦＣデバイスがそれを実行することを防ぐ。したがって、そのような期間中のＮＦＣデバイスの使用は、ＮＦＣ動作の失敗（failed NFC operation）に帰着し得る。
【００１８】
[0026]このように、本態様は、デバイスホストのスクリーン状態の識別を含む単一のＮＦＣコントローラ・インターフェース（ＮＣＩ）インジケーションに基づいて、ＮＦＣデバイスの１つまたは複数のＮＦＣモードを（例えば、ＮＦＣコントローラにおいてまたはそれを介して）調整するために、現在の解決策と比較して、効率的なおよび効果的な解決策を提供し得る。例えば、ＮＦＣコントローラは、デバイスホストのスクリーン状態を含む単一のＮＣＩインジケーション／コマンドに基づいて実行（perform）または実行（execute）するために１つまたは複数のＮＦＣモードを決定し得る。具体的には、デバイスホストは、新しいスクリーン状態をＮＦＣコントローラに通知する／示すＮＣＩインジケーション／コマンドを送り得る。新しいスクリーン状態は、ＲＦ発見パラメータおよび／または関連するＲＦ構成セッティングを調整するようＮＦＣコントローラに指示（indicate）し得るかまたはＮＦＣコントローラをトリガし得る。
【００１９】
[0027]そのような態様では、単一のＮＣＩインジケーション／コマンドは、ある数のまたは一連の（例えば、いくつかのケースでは３つの）ＮＣＩインジケーション／コマンドを置き換え得るかまたはその代わりに使用され得る。さらに、スクリーン状態を含む単一のＮＣＩインジケーション／コマンドは、例えば、受信を確認する応答（response acknowledging receipt）が必要でない非確認タイプ（unacknowledged type）のコマンドとなるように構成され得る。対照的に、現在の一連のＮＣＩコマンドのうちのある数（the existing number of sequence of NCI commands）は、確認応答（acknowledgement）を必要とする。このように、本態様は、ＮＣＩトラフィック（例えば、ＮＣＩに沿ったデータ送信）を減らし得、ＮＦＣコントローラにおいてスクリーン変化を処理するための時間遅延を低減し得る。さらに、ＮＦＣデバイスが利用可能またはアクティブであり得る時間が増加し得、それによって、通信故障率／故障確率（communication failure rate/probability）を減少させる。したがって、本態様は、強化されたＮＦＣモード調整を提供する。
【００２０】
[0028]本開示の態様は、本明細書で説明されるアクションまたは機能を実行し得る１つまたは複数の構成要素および１つまたは複数の方法に関連して描写される。ある態様では、本明細書で使用される場合、「構成要素（component）」という用語は、システムを構成するパーツのうちの１つであり得、ハードウェアもしくはソフトウェアまたはその何らかの組み合わせであり得、他の構成要素へと分割され得る。本明細書で説明される動作は特定の順序でおよび／または例となる構成要素によって実行されているとして提示されるが、アクションおよびこれらアクションを実行する構成要素の順序は、実装形態に依存して変動され得ると理解されるべきである。さらに、以下のアクションまたは機能は、特別にプログラムされたプロセッサ、特別にプログラムされたソフトウェアまたはコンピュータ可読媒体を実行するプロセッサによって、または説明されるアクションまたは機能を実行することができるハードウェア構成要素および／またはソフトウェア構成要素の任意の他の組み合わせによって実行され得ると理解されるべきである。
【００２１】
[0029]図１は、本明細書で説明される様々な態様に係る、ワイヤレス送電または充電システム１００を例示する。いくつかの態様では、送信機１０４は、ＮＦＣデバイス３１０（図３）の一部として含まれ得る。具体的には、例えば、送信機１０４は、トランシーバ３６０（図３）を形成し得るかそうでなければそれの一部であり得る。追加的に、送信アンテナは、アンテナ３７０（図３）を形成し得るかそうでなければそれの一部であり得る。エネルギ伝達を提供するための放射誘導界（radiated inductive field）１０６を生成するために、入力電力１０２が送信機１０４に提供される。受信機１０８は、放射誘導界１０６に結合し、出力電力１１０に結合されたデバイス（図示されない）による貯蔵または消費のための出力電力１１０を生成する。送信機１０４および受信機１０８の両方は、本明細書では動作ボリューム（ＯＶ：operating volume）とも呼ばれ得る距離１１２によって離されている。一例では、送信機１０４および受信機１０８は相互共振関係（mutual resonant relationship）にしたがって構成され、受信機１０８の共振周波数と送信機１０４の共振周波数とが閾値ＯＶ内であるとき、（例えば、受信機１０８が放射誘導界１０６の「近距離場（near-field）」に位置しているとき）送信機１０４と受信機１０８の間の伝送損失（transmission loss）は最小である。
【００２２】
[0030]送信機１０４は、エネルギおよび信号を伝送するための送信アンテナ１１４をさらに含む。受信機１０８は、必要に応じて、信号およびエネルギを受け取るための受信アンテナ１１８を含む。送信アンテナ１１４および受信アンテナ１１８は、アプリケーションとそれに関連付けられたデバイスとにしたがってサイズ決めされることができる。述べたように、効率的なエネルギ伝達は、エネルギの多くを電磁波で遠距離場（far field）に伝搬するのではなく、送信アンテナ１１４の近距離場におけるエネルギの大部分を受信アンテナ１１８に結合することによって生じることができる。この近距離場にあるとき、送信アンテナ１１４と受信アンテナ１１８との間で結合モードが展開される。この近距離場結合が生じ得るアンテナ１１４および１１８の周りのエリアは、本明細書では、結合モード領域と呼ばれる。
【００２３】
[0031]いくつかの構成では、送信機１０４および受信機１０８が極めて近接しているとき、信号を処理するアンテナ１１４、１１８に関する整合ネットワーク（図示されない）は、送信機１０４と受信機１０８との間で通信される信号における高度な相互結合により離調された状態になり（become detuned）得、ゆえに、送信機１０４と受信機１０８との間の通信はブレークダウンし（break down）得る。この状態は、本明細書では、過結合（over-coupling）と呼ばれる。そのような例では、本明細書でさらに説明されるように、送信機１０４は、受信機１０８または関連する受信アンテナ１１８とのそのような過結合を検出することができ、送信機１０４において１つまたは複数の送信および／または受信パラメータを修正することによってその状態を緩和するよう試みることができる。
【００２４】
[0032]図２は、例となる近距離ワイヤレス通信システム２００の概略図である。送信機１０４は、発振器２２２と、電力増幅器２２４と、フィルタおよび整合回路２２６とを含む。いくつかの態様では、送信機１０４は、ＮＦＣデバイス３１０（図３）の一部として含まれ得る。具体的には、例えば、送信機１０４は、トランシーバ３６０（図３）を形成し得るかそうでなければそれの一部であり得る。追加的に、送信アンテナは、アンテナ３７０（図３）を形成し得るかそうでなければそれの一部であり得る。発振器２２２は、調整信号２２３に応答して調整され得る所望の周波数で信号を生成するように構成される。発振器信号は、制御信号２２５に応じた増幅量で、電力増幅器２２４によって増幅され得る。フィルタおよび整合回路２２６は、高調波または他の不要な周波数をフィルタ除去し、送信機１０４のインピーダンスを送信アンテナ１１４に整合させるために含まれ得る。
【００２５】
[0033]（例えば、ピア・ツー・ピア通信において）磁場による電力供給が不要となり得るようにデバイスが各々バッテリを有し得ることは認識されるが、受信機１０８は、図２に示されるようにバッテリ２３６を充電するための、または受信機に結合されたデバイス（図示されない）に電力供給するためのＤＣ電力出力を生成するために、整合回路２３２および整流器およびスイッチング回路２３４を含み得る。整合回路２３２は、受信機１０８のインピーダンスを受信アンテナ１１８に整合させるために含まれ得る。受信機１０８および送信機１０４は、一例では、別個の通信チャネル２１９（例えば、ブルートゥース（登録商標）、ＷｉＦｉ、ジグビー、セルラ、など）上で通信し得る。
【００２６】
[0034]図３を参照すると、ある態様では、通信ネットワーク３００は、ＮＦＣデバイス３１０とリモートＮＦＣデバイス３８０とを含み得、その両方がＮＦＣを使用して通信するように構成され得る。ＮＦＣデバイス３１０は、トランシーバ３６０およびアンテナ３７０を含み得、この各々が、ＮＦＣを使用したリモートＮＦＣデバイス３８０との通信を容易にするように構成され得る。例えば、リモートＮＦＣデバイス３８０は、ＮＦＣ無線インターフェースを通してＮＦＣデバイス３１０にワイヤレスに接続された、リモートデバイス、カード、またはタグに対応し得る。ＮＦＣデバイス３１０は、ＮＦＣコントローラ３４０を介して、関連ユーザインターフェースのスクリーン状態３３８を特定するＮＣＩインジケーション３３４を受信することに基づいて、ＮＦＣモードを効率的に調整するように構成され得る。
【００２７】
[0035]デバイスホスト３２０は、ＮＦＣコントローラ・インターフェース（ＮＣＩ）３３０を通してＮＦＣコントローラ３４０に、デバイスホスト３２０のスクリーン状態３８８を含むかまたは特定するＮＣＩインジケーション３３４を提供するかそうでなければそれを送信するように構成され得る。いくつかの態様では、スクリーン状態３３８は、スクリーン状態ＯＮ、スクリーン状態ＯＦＦ、またはスクリーン状態ＬＯＣＫのうちの１つを識別するまたは示すインジケータであり得る。さらに、デバイスホスト３２０は、ＮＦＣデバイス３１０および任意の周辺機器の管理全体を担う実行環境であり得るかそうでなければその形式をとり得る。これは、ＮＦＣコントローラ３４０の管理（例えば、初期化、構成、電力管理、等）を含み得る。
【００２８】
[0036]ＮＣＩ３３０は、少なくとも、デバイスホスト３２０とＮＦＣコントローラ３４０との間の通信を容易にするように構成され得る。例えば、ＮＣＩ３３０は、デバイスホスト３２０とＮＦＣコントローラ３４０との間の論理インターフェースであり得る。具体的には、ＮＣＩ３３０は、デバイスホスト３２０からＮＦＣコントローラ３４０への、関連ユーザインターフェースのスクリーン状態３３８を含むまたは特定するＮＣＩインジケーション３３４の送信を容易にするように構成され得る。いくつかの態様では、スクリーン状態３３８は、デバイスホスト３２０の前のスクリーン状態とは異なり得る（例えば、スクリーン状態ＯＮからスクリーン状態ＯＦＦに変化する）。
【００２９】
[0037]ＮＦＣコントローラ３４０は、デバイスホスト３２０のスクリーン状態３３８を特定するＮＣＩインジケーション３３４を受信し、１つまたは複数のＮＦＣモード（例えば、ピア・ツー・ピア（Ｐ２Ｐ）モード３５２、リーダ／ライタ（Ｒ／Ｗ）モード３５４、および／またはカードエミュレーションモード３５６）を、ＮＣＩインジケーション３３４において特定されたまたは含まれるスクリーン状態３３８に基づいて調整するように構成され得る。例えば、ＮＦＣコントローラ３４０は、ＮＦＣ無線インターフェースを通したデータの送信を担う論理エンティティであり得る。ＮＦＣコントローラ３４０は、論理接続ＮＣＩ３３０を、ゆえに、デバイスホスト３２０への接続を有し得、追加のＮＦＣ実行環境（ＮＦＣＥＥ：NFC execution environments）への接続を有し得る。さらに、ＮＦＣコントローラ３４０は、ＮＦＣコントローラ３４０によるさらなる処理のためにＮＣＩ３３０からＮＣＩインジケーション３３４を受信するように動作する、プログラムされたプロセッサモジュールのようなハードウェアもしくはプロセッサによって実行されるコンピュータ実行可能コードまたはその何らかの組み合わせであり得る、受信機機能を含み得る。
【００３０】
[0038]ゆえに、ＮＦＣコントローラ３４０は、スクリーン状態３３８を特定する単一のＮＣＩインジケーション３３４に基づいて、および、デバイスホスト３２０から受信される任意の追加のインジケーション／コマンドから独立してまたはそれなしで、ＮＦＣモードを調整するように構成され得る。例えば、ＮＦＣコントローラ３４０は、スクリーン状態３３８を特定する単一のＮＣＩインジケーション３３４に基づいて、および、デバイスホスト３２０から受信される任意の追加のインジケーション／コマンドから独立してまたはそれなしで、ＮＦＣモードを調整するように動作する、プログラムされたプロセッサモジュールのようなハードウェアもしくはプロセッサによって実行可能なコンピュータ実行可能コードまたはそれらの何らかの組み合わせであり得る、調整機能を含み得る。さらに、スクリーン状態３３８を含む単一のＮＣＩインジケーション３３４は、例えば、受信を確認する応答が必要でない非確認タイプのコマンドであり得る。追加的に、ＮＦＣコントローラ３４０は、ＮＣＩインジケーション３３４を受信し、１つまたは複数のＮＦＣモードを調整する前、最中、および／または後に、ＲＦ発見状態（RF discovery state）を維持するように構成され得る。例えば、ＮＦＣコントローラ３４０は、ＮＣＩインジケーション３３４を受信し、１つまたは複数のＮＦＣモードを調整する前、最中、および／または後にＲＦ発見状態を維持するように動作する、プログラムされたプロセッサモジュールのようなハードウェアもしくはプロセッサによって実行されるコンピュータ実行可能コードまたはそれらに何らかの組み合わせであり得る、維持機能を含み得る。すなわち、（例えば、ＲＦ非アクティブ化に帰着する）ＮＣＩインジケーション３３４を受信した後にアイドル状態に遷移することおよびアイドル状態から遷移することとは対照的に、ＮＦＣコントローラ３４０は、ＲＦ発見状態を維持しつつ（例えば、ＲＦアイドル状態に遷移することなしに）、スクリーン状態３３８を含むＮＣＩインジケーション３３４を受信し、それに基づいて１つまたは複数のＮＦＣモードを調整するように構成され得る。
【００３１】
[0039]例えば、ＮＦＣコントローラ３４０は、スクリーン状態３３８に基づいて、Ｐ２Ｐモード３５２、Ｒ／Ｗモード３５４、またはカードエミュレーションモード３５６のうちの１つまたは複数に、調整機能を介して、調整するように構成され得る。さらに、ＮＦＣモードの各々はまた、ポーリングおよび／またはリスニングのようなＲＦ通信状態に対応し得る。例えば、ポーリング状態／モード中、ＮＦＣデバイス３１０は、他のデバイスのためのキャリアおよびプローブ（probe）（「ポール（poll）」）を生成し得る。他の態様では、リスニング状態／モード中、ＮＦＣデバイス３１０は、キャリアを生成せず、むしろ、別のデバイスのＲＦフィールドをリスンし得る。
【００３２】
[0040]具体的には、例えば、ＮＦＣコントローラ３４０は、スクリーン状態ＯＮに対応するリスニング状態およびポーリング状態に、調整機能を介して、調整するように構成され得る。換言すると、ＮＣＩインジケーション３３４がスクリーン状態ＯＮを特定するスクリーン状態３３８を含むとき、ポーリング状態およびリスニング状態がアクティブ化され得る。いくつかの態様では、ポーリング状態は、Ｐ２Ｐモード３５２およびＲ／Ｗモード３５４の一方または両方を含む。追加的に、リスニング状態は、カードエミュレーションモード３５６を含み得る。
【００３３】
[0041]さらに、例えば、ＮＦＣコントローラ３４０は、スクリーン状態ＯＦＦおよびスクリーン状態ＬＯＣＫに対応するリスニング状態に、調整機能を介して、調整するように構成され得る。換言すると、ＮＣＩインジケーション３３４がスクリーン状態ＯＦＦまたはスクリーン状態ＬＯＣＫのいずれかのスクリーン状態３３８を含むとき、リスニング状態がアクティブ化され得る。いくつかの態様では、リスニング状態は、カードエミュレーションモード３５６を含む。しかしながら、スクリーン状態ＯＦＦおよびスクリーン状態ＬＯＣＫのカードエミュレーションモード３５６は変動し得る。例えば、スクリーン状態ＯＦＦのためのカードエミュレーションモード３５６は、ＵＩＣＣまたは埋め込み式セキュアエレメントにしたがってアクティブ化され得る。他方で、スクリーン状態ＬＯＣＫのためのカードエミュレーションモード３５６は、ホストセキュアエレメント（host secure element）にしたがってアクティブ化され得る。他の態様では、ＮＦＣコントローラ３４０は、無線周波数発見モードまたは無線周波数構成モードのうちの一方または両方を調整することによって、１つまたは複数のＮＦＣモードを調整するように構成される。
【００３４】
[0042]図４について、本明細書で説明される態様に係る、ＮＦＣモードチャート４００の概念図が例示される。ＮＦＣモードチャート４００は、スクリーン状態に少なくとも部分的に基づいて、アクティブとして実行されるかそうでなければトリガされ得る潜在的なＮＦＣモードを提示する。換言すると、ＮＦＣコントローラ（例えば、ＮＦＣコントローラ３４０，図３）は、デバイスホスト（例えば、デバイスホスト３２０，図１）のスクリーン状態を特定する単一のＮＣＩインジケーション（例えば、ＮＣＩインジケーション３３４，図１）の受信を受けてまたはそれに基づいて、ＮＦＣモードを調整し得る。
【００３５】
[0043]ある態様では、ＮＦＣモードチャート４００によれば、スクリーン状態ＯＮが、ポール／ポーリングのＲＦ通信状態をトリガし、それによって、ピア・ツー・ピアモードおよびリーダ／ライタモードをアクティブ化し得る。しかしながら、スクリーン状態ＯＦＦおよびスクリーン状態ＬＯＣＫは、ポール／ポーリングのＲＦ通信状態をトリガしないだろう。さらに、スクリーン状態ＯＮはまた、リスン／リスニングのＲＦ通信状態をトリガし、それによって、ピア・ツー・ピアモードおよび／またはカードエミュレーションモードをアクティブ化し得る。このような態様では、カードエミュレーションモードは、ホストセキュアエレメント、ＵＩＣＣ、または埋め込み式セキュアエレメントにしたがってアクティブ化され得る。
【００３６】
[0044]追加的に、スクリーン状態ＯＦＦは、リスン／リスニングのＲＦ通信状態をトリガし、それによって、ＵＩＣＣまたは埋め込み式セキュアエレメントにしたがってカードエミュレーションモードをアクティブ化し得る。同様に、スクリーン状態ＬＯＣＫは、リスン／リスニングのＲＦ通信状態をトリガし、それによって、ホストセキュアエレメント、ＵＩＣＣまたは埋め込み式セキュアエレメントにしたがってカードエミュレーションモードをアクティブ化し得る。
【００３７】
[0045]図５について、動作的な態様では、ＮＦＣデバイス３１０（図３）のようなＮＦＣデバイスは、ＮＣＩインジケーションに基づいて１つまたは複数のＮＦＣモードを調整するための方法５００の１つの態様を実行し得る。説明の簡略化の目的で、これら方法は一連の動作として説明および示されているが、いくつかの動作は、１つまたは複数の態様によれば、本明細書で説明および示されるものとは異なる順序でおよび／または他の動作と同時に生じ得るので、１つの方法（そして、それに関するさらなる複数の方法）が動作の順序によって制限されないことは理解および認識されるべきである。例えば、方法が、状態図など、一連の相互に関係する状態またはイベントとして代替的に表され得ることを認識されるべきである。さらに、例示されるすべての動作が、本明細書で説明される１つまたは複数の特徴に係る方法を実装するのに必要というわけではないだろう。
【００３８】
[0046]ある態様では、ブロック５１０において、方法５００は、ＮＦＣコントローラにおいて、デバイスホストからＮＣＩインジケーションを受信し得、ここにおいて、ＮＣＩインジケーションは、デバイスホストのスクリーン状態を特定する。例えば、本明細書で説明されるように、ＮＦＣデバイス３１０（図３）は、デバイスホスト３２０（図３）からＮＣＩインジケーション３３４（図３）を受信するようにＮＦＣコントローラ３４０（図３）を実行し得る。いくつかの態様では、ＮＣＩインジケーション３３４（図３）は、デバイスホスト３２０（図３）のスクリーン状態３３８（図３）を特定し得る。
【００３９】
[0047]ブロック５２０において、方法５００は、ＮＣＩインジケーションに基づいて、ＮＦＣコントローラにおいて１つまたは複数のＮＦＣモードを調整し得る。例えば、本明細書で説明されたように、ＮＦＣデバイス３１０（図３）は、ＮＣＩインジケーション３３４（図３）に基づいて、ＮＦＣコントローラ３４０（図３）において１つまたは複数のＮＦＣモードを調整するようにＮＦＣコントローラ３４０（図３）を実行し得る。
【００４０】
[0048]図６Ａについて、デバイスホスト３２０のようなデバイスホストとＮＦＣコントローラ３４０のようなＮＦＣコントローラとの間の先行技術のシグナリングスキーム６００Ａの概念図が例示される。特定の態様では、デバイスホスト３２０は、図３のＮＦＣ通信インターフェース（ＮＣＩ）３３０のような、ＮＣＩを介してＮＦＣコントローラ３４０と通信し得る。例えば、ＮＣＩ３３０は、デバイスホスト３２０とＮＦＣコントローラ３４０との間の論理インターフェースであり得る。シグナリングスキーム６００Ａは、デバイスホスト３２０が、単一のＮＣＩインジケーション３３４ではなく複数のインジケーション／コマンド（例えば、信号６０２、６０６、および６１０）をＮＦＣコントローラ３４０に送信するように構成される事例に対応する。例えば、デバイスホスト３２０は、ＮＦＣコントローラ３４０に信号６０２を送信し得る。ある態様では、例えば、信号６０２は、ＲＦ＿ＤＥＡＣＴＩＶＡＴＥ＿ＣＯＭＭＡＮＤ信号であり得るかそれを含み得る。信号６０２に応答して、ＮＦＣコントローラ３４０は、信号６０２が受信されたことを示す確認応答信号であり得るかそれを含み得る信号６０４を送信し得る。次に、デバイスホスト３２０は、（例えば、新しい発見パラメータを有する）ＲＦ＿ＤＩＳＣＯＶＥＲ＿ＣＭＤ信号であり得るかそれを含み得る信号６０６を送信し得る。信号６０６に応答して、ＮＦＣコントローラ３４０は、信号６０６が受信されたことを示す確認信号（acknowledgment signal）であり得るかそれを含み得る信号６０８を送信し得る。次に、デバイスホスト３２０は、（例えば、新しい無線周波数構成レジストリを有する）ＣＯＲＥ＿ＳＥＴ＿ＣＯＮＦＩＧ＿ＣＭＤ信号であり得るかそれを含み得る信号６１０を送信し得る。信号６１０に応答して、ＮＦＣコントローラ３４０は、信号６１０が受信されたことを示す確認信号であり得るかそれを含み得る信号６１２を送信し得る。このように、図３のＮＦＣデバイス３１０のようなＮＦＣデバイスを含むユーザ機器（例えば、モバイルデバイス）では、ユーザ機器のスクリーンがＯＮとＯＦＦとの間で変化する度に、前述の非アクティブ化、発見、およびセッティング構成コマンド／インジケーション、例えば、信号６０２、信号６０６、および信号６１０、が、ＮＦＣコントローラ３４０に送られ得、これは、リスニングおよび／またはポーリングを中断させるか、遅延させるか、そうでなければＮＦＣデバイス３１０がそれを実行することを防ぎ得る。したがって、そのような期間中のＮＦＣデバイス３１０の使用は、ＮＦＣ動作の失敗に帰着し得る。
【００４１】
[0049]図６Ｂについて、本明細書で説明される態様に係る、デバイスホスト３２０のようなデバイスホストとＮＦＣコントローラ３４０のようなＮＦＣコントローラとの間のシグナリングスキーム６００Ｂの概念図が例示される。特定の態様では、デバイスホスト３２０は、図３のＮＦＣ通信インターフェース（ＮＣＩ）３３０のような、ＮＣＩを介してＮＦＣコントローラ３４０と通信し得る。例えば、ＮＣＩ３３０は、デバイスホスト３２０とＮＦＣコントローラ３４０との間の論理インターフェースであり得る。シグナリングスキーム６００Ｂは、デバイスホスト３２０が、単一のＮＣＩインジケーション３３４をＮＦＣコントローラ３４０に送信するように構成される事例に対応する。例えば、デバイスホスト３２０は、ＮＦＣコントローラ３４０に信号６１４を送信し得る。信号６１４は、図３のＮＣＩインジケーション３３４のようなＮＦＣインジケーションであり得るかそれを含み得る。いくつかの事例では、ＮＣＩインジケーション３３４は、スクリーン状態３３８のようなスクリーン状態を含み得、ＮＣＩインジケーション３３４は、ユーザ機器のスクリーンのＯＮまたはＯＦＦ状態の変化に関する非アクティブ化、発見、およびセッティング構成を引き起こすために、デバイスホスト３２０から受信された追加のインジケーション／コマンドから独立し得るかそれをいずれも含まない。さらに、信号６１４は、例えば、受信を確認する応答が必要でない非確認タイプのコマンドとなるように構成され得る。追加的に、ＮＦＣコントローラ３４０は、信号６１４を受信し、１つまたは複数のＮＦＣモードを調整する前、最中、および／または後に、ＲＦ発見状態を維持するように構成され得る。すなわち、（例えば、ＲＦ非アクティブ化に帰着する）信号６１４を受信した後にアイドル状態に遷移することおよびアイドル状態から遷移することとは対照的に、ＮＦＣコントローラ３４０は、ＲＦ発見状態を維持しつつ（例えば、ＲＦアイドル状態に遷移することなしに）、スクリーン状態を含む信号６１４を受信し、それに基づいて１つまたは複数のＮＦＣモードを調整するように構成され得る。このように、本態様によれば、ＮＦＣデバイスのスクリーン状態を示し、および、ユーザ機器のスクリーンのＯＮまたはＯFＦ状態の変化に関する非アクティブ化、発見、およびセッティング構成を引き起こすために、例えば、ＮＣＩインジケーション３３４のような単一のインジケーション／コマンドだけが、デバイスホスト３２０からＮＦＣコントローラ３４０に送信される必要がある。
【００４２】
[0050]図７について、ある態様に係る通信ネットワーク７００のブロック図が例示される。通信ネットワーク３００は、ＮＦＣを使用して通信するように構成され得るＮＦＣデバイス７０２とリモートＮＦＣデバイス７０４とを含み得る。ＮＦＣデバイス３０２は、同様のＮＦＣコイル７２６を有し得る、リモートＮＦＣデバイス７０４とのＮＦＣ通信を容易にするように構成されたＮＦＣアンテナコイル７０６を含み得る。ＮＦＣデバイス７０２は、ＮＦＣデバイス３１０（図３）と同じまたは類似し得る。例えば、ＮＦＣデバイス７０２は、デバイスホスト３２０（図３）、ＮＦＣコントローラ・インターフェース（図３）およびＮＦＣコントローラ３４０（図３）を含み得る。さらに、リモートＮＦＣデバイス７０４は、リモートＮＦＣデバイス３８０（図３）と同じまたは類似し得る。
【００４３】
[0051]ＮＦＣ通信の一環として、ＮＦＣアンテナコイル７０６は、ＮＦＣアンテナコイル７０６の周りのエリアに電磁場を生成し得る。その場（field）の強度は、ＮＦＣアンテナコイル７０６のサイズおよび巻き数（number of turns）ならびに動力源に依存し得る。さらに、インピーダンス不整合は、磁場７２８におけるＮＦＣアンテナコイル７０６のインダクタンスおよびサイズに依存して様々な振幅／位相変化を引き起こし得る。キャパシタ７１８は、ＮＦＣアンテナコイル７０６と並列に接続され得、そこでは、送信機構成要素７１２およびキャパシタ７１８は、ＮＦＣデバイス７０２の１つまたは複数の送信周波数に対応する周波数で共振回路を確立するＲＬＣ発振器を形成し得る。
【００４４】
[0052]使用される周波数の波長が、ＮＦＣアンテナコイル７０６とリモートＮＦＣデバイス３０４のアンテナコイル７２６との間の近接した距離よりも数倍大きいため、電磁場は、交番磁場７２８として扱われることができる。近接のこの領域は、近距離場領域と呼ばれる。ＮＦＣデバイス７０２およびリモートＮＦＣデバイス７０４は、空芯変圧器（air core transformer）にあるような、それらの相互インダクタンスによってリンクされ得、ここでは、一次コイルがＮＦＣアンテナコイル３０６であり、二次コイルがリモートＮＦＣデバイス７０４のアンテナコイル７２６である。交番磁界７２８は、それが近距離場領域にいるときにリモートＮＦＣデバイス３０４のアンテナコイル７２６を貫通し、それは、リモートＮＦＣデバイス７０４のアンテナコイル７２６における交流電流を誘発する（inducing）。
【００４５】
[0053]リスニングモードで動作している時、ＮＦＣアンテナコイル７０６、キャパシタ７２０、オプションのエネルギハーベスタ（ＥＨ：energy harvester）７１６、および受信機構成要素７１４は、リモートＮＦＣデバイス７０４による信号の変調が検出されることができる共振回路を確立するＲＬＣ発振器を形成し得る。送信モードで動作しているとき、ＮＦＣデバイス７０２は、可変負荷抵抗をＮＦＣアンテナコイル７０６に適用し得、それによって、磁場７２８を変調し、リモートＮＦＣデバイス７０４にデータを転送するために送信信号を送る。
【００４６】
[0054]図８は、通信デバイス８００の例となるアーキテクチャを例示する。通信デバイスは、ＮＦＣデバイス３１０、７０２、リモートＮＦＣデバイス３８０、７０４、等を含み得、ゆえに、それらの構成要素を含み得、および／または、上述された関連機能を実行し得る。図８に描写されるように、通信デバイス８００は、例えば、受信アンテナ（図示されない）から信号を受信し、受信信号に対して典型的なアクション（例えば、フィルタリング、増幅、ダウンコンバート、等）を実行し、調整された信号をデジタル化してサンプルを取得する受信機８０２を含む。受信機８０２は、受信されたシンボルを復調し、チャネル推定のためにプロセッサ８０６にそれらを提供することができる復調器８０４を含むことができる。プロセッサ８０６は、受信機８０２によって受信された情報を分析することに、および／または送信機８２０による送信のための情報を生成することに専用のプロセッサ、通信デバイス８００の１つまたは複数の構成要素を制御するプロセッサ、および／または、受信機８０２によって受信された情報を分析し、送信機８２０による送信のための情報を生成すること、および、通信デバイス８００の１つまたは複数の構成要素を制御することの両方を行うプロセッサ、であることができる。さらに、信号は、プロセッサ８０６によって処理された信号を変調し得る変調器８１８を通じて、送信機８２０による送信のために準備され得る。
【００４７】
[0055]通信デバイス８００は、プロセッサ８０６に動作可能に結合され、かつ、送信されるべきデータ、受信データ、利用可能なチャネルに関する情報、ＴＣＰフロー、分析された信号および／または干渉強度に関連付けられたデータ、割り当てられたチャネル、電力、またはレート、等に関する情報、および、チャネルを推定し、このチャネルを介して通信するための任意の他の適切な情報、を格納することができる、メモリ８０８を追加的に含むことができる。
【００４８】
[0056]さらに、送信機８２０は、送信回路において、送信されるキャリアのために送信信号を生成することができ、受信機８０２は、受信回路において、受信キャリアを受信することができる。説明したように、送信機８２０は、受信機８０２にループバックされることができ、それによって、受信機８０２は、非変調キャリアを受信することができる。プロセッサ８０６は、受信された非変調キャリアを、送信機８２０によって生成された送信信号と比較することに基づいて、別の通信デバイスとの過結合状態（over-coupling condition）を検出するための、過結合検出構成要素８５０を含むことができるかまたは実装することができる。説明したように、過結合状態が生じる場合、これは、受信キャリアと送信信号との位相、振幅、ＤＣレベル、または他のメトリックの間の閾値差分（threshold difference）に基づいて検出されることができる。過結合状態が検出されると、プロセッサ８０６は、過結合状態を緩和するために、説明したように、送信機８２０または受信機８０２の送信または受信メトリックを修正するためのＴｘ／Ｒｘパラメータ構成要素８２５を含むことができるかまたは実装することができる。プロセッサ８０６はまた、受信機８０２と過結合検出構成要素８５０との間に存在し得る通信デバイス８００の１つまたは複数のフィルタまたは他の信号処理構成要素を、これらの構成要素によって変えられていない信号における過結合の検出を容易にするために、バイパスするためのフィルタバイパス構成要素８５４を含むかまたは実装することができる。
【００４９】
[0057]本明細書で説明されたデータ記憶装置（例えば、メモリ８０８）が、揮発性メモリもしくは非揮発性メモリのいずれかであり得るかまたは揮発性のおよび非揮発性の両方のメモリを含むことができることは認識されるだろう。限定ではなく例示として、不揮発性メモリは、読出専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ（登録商標））、またはフラッシュメモリを含むことができる。揮発性メモリは、外部のキャッシュメモリとして動作するランダムアクセスメモリ（ＲＡＭ）を含むことができる。限定ではなく例示として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ ＳＤＲＡＭ）、エンハンスドＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ）といった多くの形式で利用可能である。主題のシステムおよび方法のメモリ８０８は、これらのおよび任意の他の適切なタイプのメモリを、それらに限定されることなく、備え得る。例えば、メモリ８０８は、本明細書で説明された様々な構成要素の機能を実行するための命令を含むことができる。
【００５０】
[0058]通信デバイス８００は、ＮＦＣコントローラ・インターフェース（ＮＣＩ）３３０を含み得る。ある態様では、ＮＣＩ３３０は、ＮＦＣコントローラ３４０とデバイスホスト３２０の間の通信を可能にするように構成され得る。追加的に、通信デバイス８００は、ユーザインターフェース８４０を含み得る。ユーザインターフェース８４０は、通信デバイス８００への入力を生成するための入力メカニズム８４２および通信デバイス８００のユーザによる消費のための情報を生成するための出力メカニズム８４４を含み得る。例えば、入力メカニズム８４２は、キーもしくはキーボード、マウス、タッチスクリーンディスプレイ、マイクロフォン、等のようなメカニズムを含み得る。さらに、例えば、出力メカニズム８４４は、ディスプレイ、オーディオスピーカ、触覚（haptics）フィードバックメカニズム、等を含み得る。例示される態様では、出力メカニズム８４４は、画像フォーマットもしくはビデオフォーマットでメディアコンテンツを提示するように構成されたディスプレイ、またはオーディオフォーマットであるメディアコンテンツを提示するためのオーディオスピーカを含み得る。
【００５１】
[0059]本願で使用される場合、「構成要素」、「モジュール」、「システム」、等の用語は、ハードウェア、ファームウェア、ハードウェアとソフトウェアとの組み合わせ、ソフトウェア、または実行中のソフトウェアのような、しかしこれに限られない、コンピュータ関連エンティティを含むことが意図される。例えば、構成要素は、プロセッサ上で走行するプロセス、プロセッサ、オブジェクト、実行ファイル、実行スレッド、プログラム、および／またはコンピュータであり得るがこれに限られない。例示として、コンピューティングデバイス上で走行するアプリケーションとそのコンピューティングデバイスとは両方とも、構成要素であることができる。１つまたは複数の構成要素は、プロセスおよび／または実行スレッド内に存在することができ、１つの構成要素は、１つのコンピュータ上に局所化される、および／または、２つ以上のコンピュータ間で分散され得る。加えて、これらの構成要素は、様々なデータ構造を格納している様々なコンピュータ可読媒体から実行することができる。これら構成要素は、例えば、ローカルシステムにおいて、分散システムにおいて、および／または、信号によって他のシステムを有するインターネットのようなネットワーク経由で、別の構成要素と相互動作する１つの構成要素からのデータのような、１つまたは複数のデータパケットを有する信号にしたがってなど、ローカルプロセスおよび／またはリモートプロセスによって、通信し得る。
【００５２】
[0060]さらに、様々な態様が、ワイヤード端末またはワイヤレス端末であることができる端末に関連して本明細書で説明される。端末はまた、システム、デバイス、加入者ユニット、加入者局、モバイル局、モバイル、モバイルデバイス、リモート局、モバイル機器（ＭＥ）、リモート端末、アクセス端末、ユーザ端末、端末、通信デバイス、ユーザエージェント、ユーザデバイス、またはユーザ機器（ＵＥ）とも称されることができる。ワイヤレス端末は、セルラ電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、様々な態様が、基地局に関連して本明細書で説明される。基地局は、ワイヤレス端末と通信するために利用され得、アクセスポイント、ノードＢ、または何らかの他の用語でも呼ばれ得る。
【００５３】
[0061]さらに、「または／もしくは」という用語は、排他的な「または／もしくは」というよりはむしろ包括的な「または／もしくは」を意味することが意図される。すなわち、別途明記されていない限り、または文脈から明らかでない限り、「ＸはＡまたはＢを用いる」というフレーズは、自然な包括的な置き換えのうちのいずれかを意味することが意図される。すなわち、「ＸはＡまたはＢを用いる」というフレーズは、ＸはＡを用いる、ＸはＢを用いる、またはＸはＡおよびＢの両方を用いる、という事例のうちのいずれかによって満たされる。加えて、本明細書および添付の特許請求の範囲において使用される冠詞「ａ」および「ａｎ」は、別途明記されていない限りまたは単数形を対象としていることが文脈から明らかでない限り、概して、「１つまたは複数」を意味するものと解釈されるべきである。
【００５４】
[0062]本明細書で説明される技法は、ＣＤＭＡ、ＴＤＭＡ、ＦＤＭＡ、ＯＦＤＭＡ、ＳＣ−ＦＤＭＡのような様々なワイヤレス通信システムおよび他のシステムに使用され得る。「システム」および「ネットワーク」という用語は、多くの場合、交換可能に使用される。ＣＤＭＡシステムは、ユニバーサル地上無線アクセス（ＵＴＲＡ）、ｃｄｍａ２０００、等の無線技術を実装し得る。ＵＴＲＡは、広帯域ＣＤＭＡ（Ｗ−ＣＤＭＡ（登録商標））およびＣＤＭＡの他の変形を含む。さらに、ｃｄｍａ２０００は、ＩＳ−２０００規格、ＩＳ−９５規格、およびＩＳ−８５６規格をカバーする。ＴＤＭＡシステムは、モバイル通信のためのグローバルシステム（ＧＳＭ（登録商標））のような無線技術を実装し得る。ＯＦＤＭＡシステムは、次世代ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（Ｆｌａｓｈ−ＯＦＤＭＡ）等の無線技術を実装し得る。ＵＴＲＡおよびＥ−ＵＴＲＡは、ＵＭＴＳ（Universal Mobile Telecommunication System）の一部である。３ＧＰＰ（登録商標）ロングタームエボリューション（ＬＴＥ（登録商標））は、Ｅ−ＵＴＲＡを使用するＵＭＴＳのリリースであり、これは、ダウンリンクではＯＦＤＭＡを、アップリンクではＳＣ−ＦＤＭＡを用いる。ＵＴＡＲ、Ｅ−ＵＴＲＡ、ＵＭＴＳ、ＬＴＥ、およびＧＳＭは、「第３世代パートナーシッププロジェクト（３ＧＰＰ）」という名称の団体からの文書に記載されている。追加的に、ｃｄｍａ２０００およびＵＭＢは、「第３世代パートナーシッププロジェクト２（３ＧＰＰ２）」という名称の団体からの文書に記載されている。さらに、そのようなワイヤレス通信システムは、不対無認可スペクトル、８０２．ｘｘワイヤレスＬＡＮ、ＢＬＵＥＴＯＯＴＨ（登録商標）、近距離通信（ＮＦＣ−Ａ、ＮＦＣ−ｆ、等）、および任意の他の短距離または長距離のワイヤレス通信技法を使用することが多いピア・ツー・ピア（例えば、モバイル・ツー・モバイル）のアドホックネットワークシステムを追加的に含み得る。
【００５５】
[0063]様々な態様または特徴が、多数のデバイス、構成要素、モジュール、等を含み得るシステムの観点から提示される。様々なシステムが、追加のデバイス、構成要素、モジュール、等を含み得ること、および／または図に関連して説明されたデバイス、構成要素、モジュール、等をすべて含むわけではない可能性があることは理解および認識されるべきである。これらのアプローチの組み合わせも使用され得る。
【００５６】
[0064]本明細書で開示された態様に関連して説明された実例となる様々な論理、論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェア構成要素、または本明細書で説明された機能を実行するように設計されたそれらの任意の組み合わせで実装または実行され得る。汎用プロセッサは、マイクロプロセッサであり得るが、代替的に、プロセッサは、任意の従来のプロセッサ、コントローラ、マイクロコントローラ、またはステートマシンであり得る。プロセッサはまた、コンピューティングデバイスの組み合わせ、例えば、ＤＳＰと１つのマイクロプロセッサとの組み合わせ、複数のマイクロプロセッサ、ＤＳＰコアに連結した１つまたは複数のマイクロプロセッサ、またはその他のそのような構成として実装され得る。追加的に、少なくとも１つのプロセッサは、上述されたステップおよび／またはアクションのうちの１つまたは複数を実行するように構成された１つまたは複数のモジュールを備え得る。
【００５７】
[0065]さらに、本明細書で開示された態様に関連して説明された方法またはアルゴリズムのステップおよび／またはアクションは、直接ハードウェアにおいて、プロセッサによって実行されるソフトウェアモジュールにおいて、または２つの組み合わせにおいて具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形式の記憶媒体内に存在し得る。例となる記憶媒体は、プロセッサが記憶媒体から情報を読み出し、記憶媒体に情報を書き込むことができるように、プロセッサに結合され得る。代替的に、記憶媒体は、プロセッサに一体化され得る。さらに、いくつかの態様では、プロセッサおよび記憶媒体は、ＡＳＩＣ内に存在し得る。追加的に、ＡＳＩＣは、ユーザ端末内に存在し得る。代替的に、プロセッサおよび記憶媒体は、ユーザ端末においてディスクリート構成要素として存在し得る。追加的に、いくつかの態様では、方法またはアルゴリズムのステップおよび／またはアクションは、コンピュータプログラム製品に組み込まれ得る、機械可読媒体および／またはコンピュータ可読媒体上のコードおよび／または命令の１つまたは任意の組み合わせ、またはそのセットとして存在し得る。
【００５８】
[0066]１つまたは複数の態様では、説明された機能は、ハードウェア、ソフトウェア、ファームウェア、またはこれらの任意の組み合わせで実装され得る。ソフトウェアで実装される場合、これら機能は、コンピュータ可読媒体において、１つまたは複数の命令またはコードとして、格納または送信されることができる。コンピュータ可読媒体は、ある箇所から別の箇所へのコンピュータプログラムの移送を容易にする任意の媒体を含むコンピュータ通信媒体、およびコンピュータ記憶媒体の両方を含む。記憶媒体は、コンピュータによってアクセスされることができる任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、またはコンピュータによってアクセス可能であり、かつ、命令またはデータ構造の形式で所望のプログラムコードを搬送または格納するために使用されることができる任意の他の媒体を備え得る。また、任意の接続も、コンピュータ可読媒体と称され得る。例えば、ソフトウェアが、同軸ケーブル、光ファイバーケーブル、ツイストペア、デジタル加入者回線（ＤＳＬ）、または赤外線、電波、およびマイクロ波のようなワイヤレス技術を使用して、ウェブサイト、サーバ、または他のリモートソースから送信される場合、この同軸ケーブル、光ファイバーケーブル、ツイストペア、ＤＳＬ、または赤外線、電波、およびマイクロ波のようなワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ディスク（disk）は、通常磁気的にデータを再生し、ディスク（disc）は、レーザーを用いて光学的にデータを再生する。上記の組み合わせもまた、コンピュータ可読媒体の範囲内に含まれるべきである。
【００５９】
[0067]先の開示は、実例となる態様および／または態様を説明しているが、説明された態様および／または添付の特許請求の範囲によって定義された態様の範囲から逸脱することなく、様々な変更および修正が本明細書で行われ得ることに留意されたい。さらに、説明された態様および／または態様の要素は、単数形で説明または特許請求され得るが、単数形への限定が明示的に示されていない限り複数形が企図される。追加的に、任意の態様および／または態様の全部または一部は、別途明記されていない限り、任意の他の態様および／または態様の全部または一部とともに利用され得る。
以下に本願発明の当初の特許請求の範囲に記載された発明を付記する。
［Ｃ１］  近距離通信（ＮＦＣ）の方法であって、
ＮＦＣコントローラにおいて、デバイスホストからＮＦＣコントローラ・インターフェース（ＮＣＩ）インジケーションを受信することと、ここにおいて、前記ＮＣＩインジケーションは、前記デバイスホストのスクリーン状態を特定する、
前記ＮＣＩインジケーションに基づいて、前記ＮＦＣコントローラにおいて１つまたは複数のＮＦＣモードを調整することと
を備える方法。
［Ｃ２］  前記受信することおよび前記調整することが、無線周波数発見状態を維持しつつ実行される、Ｃ１に記載の方法。
［Ｃ３］  前記１つまたは複数のＮＦＣモードを調整することが、前記スクリーン状態に基づいて、ピア・ツー・ピアモード、カードエミュレーションモード、およびタグ読出／書込モードのうちの１つまたは複数に調整することを含む、Ｃ１に記載の方法。
［Ｃ４］  前記スクリーン状態は、スクリーンＯＮ状態、スクリーンＯＦＦ状態、およびスクリーン状態ＬＯＣＫのうちの１つを示す、Ｃ１に記載の方法。
［Ｃ５］  １つまたは複数のＮＦＣモードを調整することが、前記スクリーン状態ＯＮに対応するリスニング状態およびポーリング状態に調整することを含み、前記ポーリング状態が、ピア・ツー・ピアモードおよびタグ読出／書込モードのうちの一方または両方を含む、請求項４に記載の方法。
［Ｃ６］  １つまたは複数のＮＦＣモードを調整することが、前記スクリーン状態ＯＦＦおよび前記スクリーン状態ＬＯＣＫに対応するリスニング状態に調整することを含み、前記リスニング状態が、カードエミュレーションモードを含む、Ｃ４に記載の方法。
［Ｃ７］  前記１つまたは複数のＮＦＣモードを調整することが、無線周波数発見モードまたは無線周波数構成モードのうちの一方または両方を調整することを含む、Ｃ１に記載の方法。
［Ｃ８］  前記スクリーン状態が、前記デバイスホストの前のスクリーン状態とは異なる、Ｃ１に記載の方法。
［Ｃ９］  前記ＮＣＩインジケーションが、前記ＮＦＣコントローラによる前記１つまたは複数のモードの前記調整をトリガする、Ｃ１に記載の方法。
［Ｃ１０］  近距離通信（ＮＦＣ）のための装置であって、
ＮＦＣコントローラにおいて、デバイスホストからＮＦＣコントローラ・インターフェース（ＮＣＩ）インジケーションを受信するための手段と、ここにおいて、前記ＮＣＩインジケーションは、前記デバイスホストのスクリーン状態を特定する、
前記ＮＣＩインジケーションに基づいて、前記ＮＦＣコントローラにおいて１つまたは複数のＮＦＣモードを調整するための手段と
を備える装置。
［Ｃ１１］  受信するためのおよび前記調整するための前記手段が、無線周波数発見状態を維持しつつ実行される、Ｃ１０に記載の装置。
［Ｃ１２］  前記１つまたは複数のＮＦＣモードを調整するための手段が、前記スクリーン状態に基づいて、ピア・ツー・ピアモード、カードエミュレーションモード、またはタグ読出／書込モードのうちの１つまたは複数に調整するための手段を含む、Ｃ１０に記載の装置。
［Ｃ１３］  前記スクリーン状態は、スクリーンＯＮ状態、スクリーンＯＦＦ状態、またはスクリーン状態ＬＯＣＫのうちの１つを示す、Ｃ１０に記載の装置。
［Ｃ１４］  １つまたは複数のＮＦＣモードを調整するための手段が、前記スクリーン状態ＯＮに対応するリスニング状態およびポーリング状態に調整するための手段と、ここにおいて、前記ポーリング状態が、ピア・ツー・ピアモードおよびタグ読出／書込モードのうちの一方または両方を含む、および、前記スクリーン状態ＯＦＦおよび前記スクリーン状態ＬＯＣＫに対応するリスニング状態に調整するための手段と、ここにおいて、前記リスニング状態は、カードエミュレーションモードを含む、のうちの少なくとも一方または両方を含む、Ｃ１３に記載の装置。
［Ｃ１５］  前記１つまたは複数のＮＦＣモードを調整するための手段が、無線周波数発見モードまたは無線周波数構成モードのうちの一方または両方を調整するための手段を含む、Ｃ１０に記載の装置。
［Ｃ１６］  近距離通信（ＮＦＣ）のためのコンピュータ実行可能コードを格納するコンピュータ可読媒体であって、
ＮＦＣコントローラにおいて、デバイスホストからＮＦＣコントローラ・インターフェース（ＮＣＩ）インジケーションを受信するために実行可能なコードと、ここにおいて、前記ＮＣＩインジケーションは、前記デバイスホストのスクリーン状態を特定する、
前記ＮＣＩインジケーションに基づいて、前記ＮＦＣコントローラにおいて１つまたは複数のＮＦＣモードを調整するために実行可能なコードと
を備えるコンピュータ可読媒体。
［Ｃ１７］  受信するために実行可能な前記コードおよび調整するために実行可能な前記コードが、無線周波数発見状態を維持しつつ実行される、Ｃ１６に記載のコンピュータ可読媒体。
［Ｃ１８］  前記１つまたは複数のＮＦＣモードを調整するために実行可能な前記コードが、前記スクリーン状態に基づいて、ピア・ツー・ピアモード、カードエミュレーションモード、またはタグ読出／書込モードのうちの１つまたは複数に調整するために実行可能なコードを含む、Ｃ１６に記載のコンピュータ可読媒体。
［Ｃ１９］  前記スクリーン状態が、スクリーンＯＮ状態、スクリーンＯＦＦ状態、またはスクリーン状態ＬＯＣＫのうちの１つを示す、Ｃ１６に記載のコンピュータ可読媒体。
［Ｃ２０］  １つまたは複数のＮＦＣモードを調整するために実行可能な前記コードが、前記スクリーン状態ＯＮに対応するリスニング状態およびポーリング状態に調整するために実行可能なコードと、ここにおいて、前記ポーリング状態は、ピア・ツー・ピアモードおよびタグ読出／書込モードのうちの一方または両方を含む、および、前記スクリーン状態ＯＦＦおよび前記スクリーン状態ＬＯＣＫに対応するリスニング状態に調整するために実行可能なコードと、ここにおいて、前記リスニング状態は、カードエミュレーションモードを含む、のうちの少なくとも一方または両方を含む、Ｃ１９に記載のコンピュータ可読媒体。
［Ｃ２１］  前記１つまたは複数のＮＦＣモードを調整するために実行可能な前記コードが、無線周波数発見モードまたは無線周波数構成モードのうちの一方または両方を調整するために実行可能なコードを含む、Ｃ１６に記載のコンピュータ可読媒体。
［Ｃ２２］  近距離通信（ＮＦＣ）のための装置であって、
デバイスホストからＮＦＣコントローラ・インターフェース（ＮＣＩ）インジケーションを受信することと、ここにおいて、前記ＮＣＩインジケーションは、前記デバイスホストのスクリーン状態を特定する、
前記ＮＣＩインジケーションに基づいて、ＮＦＣコントローラにおいて１つまたは複数のＮＦＣモードを調整することと
を行うように構成された前記ＮＦＣコントローラ
を備える装置。
［Ｃ２３］  前記ＮＦＣコントローラが、無線周波数発見状態を維持しつつ、受信および調整するようにさらに構成される、Ｃ２２に記載の装置。
［Ｃ２４］  前記ＮＦＣコントローラが、前記スクリーン状態に基づいて、ピア・ツー・ピアモード、カードエミュレーションモード、またはタグ読出／書込モードのうちの１つまたは複数に調整することによって、前記１つまたは複数のＮＦＣモードを調整するようにさらに構成される、Ｃ２２に記載の装置。
［Ｃ２５］  前記スクリーン状態が、スクリーンＯＮ状態、スクリーンＯＦＦ状態、またはスクリーン状態ＬＯＣＫのうちの１つを示す、Ｃ２２に記載の装置。
［Ｃ２６］  前記ＮＦＣコントローラが、前記スクリーン状態ＯＮに対応するリスニング状態およびポーリング状態に調整することによって、１つまたは複数のＮＦＣモードを調整するようにさらに構成され、前記ポーリング状態は、ピア・ツー・ピアモードおよびタグ読出／書込モードのうちの一方または両方を含む、Ｃ２５に記載の装置。
［Ｃ２７］  前記ＮＦＣコントローラが、前記スクリーン状態ＯＦＦおよび前記スクリーン状態ＬＯＣＫに対応するリスニング状態に調整することによって、１つまたは複数のＮＦＣモードを調整するようにさらに構成され、前記リスニング状態は、カードエミュレーションモードを含む、Ｃ２５に記載の装置。
［Ｃ２８］  前記ＮＦＣコントローラが、無線周波数発見モードまたは無線周波数構成モードのうちの一方または両方を調整することによって、前記１つまたは複数のＮＦＣモードを調整するようにさらに構成される、Ｃ２２に記載の装置。
［Ｃ２９］  前記スクリーン状態は、前記デバイスホストの前のスクリーン状態とは異なる、Ｃ２２に記載の装置。
［Ｃ３０］  前記ＮＣＩインジケーションは、前記ＮＦＣコントローラによる前記１つまたは複数のモードの前記調整をトリガする、Ｃ２２に記載の装置。
【図１】
0006445139.tif 000002
【図２】
0006445139.tif 000003
【図３】
0006445139.tif 000004
【図４】
0006445139.tif 000005
【図５】
0006445139.tif 000006
【図６Ａ】
0006445139.tif 000007
【図６Ｂ】
0006445139.tif 000008
【図７】
0006445139.tif 000009
【図８】
0006445139.tif 000010